(57)【要約】      （修正有）【課題】異なるマイクで収録された同じ話者の音声の違和感を低減する。【解決手段】マイク補正装置１は、目標マイクＭＣ１と変換対象マイクＭＣ２それぞれから音源入力を受け付ける音声入力部３０と、目標マイクＭＣ１で収録された音源を周波数に変換した値を変換対象マイクＭＣ２で収録された音源と同一の音源を周波数に変換した値で除算した変換フィルタを作成する変換フィルタ作成部１１と、変換対象マイクＭＣ２から入力された音源に対し、変換フィルタを適用する変換フィルタ適用部１２と、を備える。【選択図】図１
2015149550.tif 000002
【特許請求の範囲】
【請求項１】
目標マイクと変換対象マイクそれぞれから音源入力を受け付ける入力部と、
前記目標マイクで収録された音源を周波数に変換した値を前記変換対象マイクで収録された前記音源と同一の音源を周波数に変換した値で除算した変換フィルタを作成する変換フィルタ作成部と、
前記変換対象マイクから入力された音源に対し、前記変換フィルタを適用する変換フィルタ適用部と、を備えるマイク補正装置。
【請求項２】
前記目標マイクおよび前記変換対象マイクで収録された前記音源は、同一人の発声音である請求項１に記載のマイク補正装置。
【発明の詳細な説明】
【技術分野】
【０００１】
この発明は、複数のマイク間の周波数特性を補正するマイク補正装置に関する。
【背景技術】
【０００２】
従来、話者が複数種類のマイクを利用する方法として、例えば、デジタルワイヤレスマイクとアナログワイヤレスマイクを併用して運用する手法が利用できる（例えば特許文献１参照）。
【先行技術文献】
【特許文献】
【０００３】
【特許文献１】特許第５２４２４８８号公報
【発明の概要】
【発明が解決しようとする課題】
【０００４】
しかしながら、特許文献１に記載の手法では、デジタルワイヤレスマイクとアナログワイヤレスマイクを混在して使用することはできるが、個々のマイクの特性を補正することまでは行われていなかった。このため、ある話者が同一の番組で複数のマイクを使用する場合、同一の話者にも関わらずマイクの周波数特性が異なるため、声質が変わって聞こえ、視聴者が違和感を覚えるという問題があった。
【０００５】
したがって、かかる点に鑑みてなされた本発明の目的は、異なるマイクで収録された音声の違和感を低減可能なマイク補正装置を提供することである。
【課題を解決するための手段】
【０００６】
上述した諸課題を解決すべく、本発明に係るマイク補正装置は、目標マイクと変換対象マイクそれぞれから音源入力を受け付ける入力部と、前記目標マイクで収録された音源を周波数に変換した値を前記変換対象マイクで収録された前記音源と同一の音源を周波数に変換した値で除算した変換フィルタを作成する変換フィルタ作成部と、前記変換対象マイクから入力された音源に対し、前記変換フィルタを適用する変換フィルタ適用部と、を備える。
【０００７】
また、前記目標マイクおよび前記変換対象マイクで収録された前記音源は、同一人の発声音を利用することもできる。
【発明の効果】
【０００８】
本発明に係るマイク補正装置によれば、異なるマイクで収録された音声の違和感を低減することが可能になる。
【図面の簡単な説明】
【０００９】
【図１】本発明の一実施形態に係るマイク補正装置の概略構成を示す図である。
【発明を実施するための形態】
【００１０】
以降、諸図面を参照しながら、本発明の実施態様を詳細に説明する。本実施形態に係るマイク補正装置１は、複数マイクである目標マイクＭＣ１及び変換対象マイクＭＣ２と接続可能であり、変換対象マイクＭＣ２の周波数特性を目標マイクＭＣ１の周波数特性に合わせるように補正するものである。
【００１１】
図１は、本発明の一実施形態に係るマイク補正装置の概略構成を示す図である。マイク補正装置１は、変換フィルタ作成部１１及び変換フィルタ適用部１２を有する制御部１０と、周波数変換データ記憶部２１及び変換フィルタ記憶部２２を有する記憶部２０と、音声入力部３０（入力部）と、音声出力部４０とを備え、音声入力部３０を通じて目標マイクＭＣ１及び変換対象マイクＭＣ２と接続することができる。制御部１０の各処理部１１、１２は好適なプロセッサにより構成され、各処理部１１、１２を共通のプロセッサで実装したり、個別のプロセッサとして実装したりすることができる。記憶部２０は好適な記憶装置であって、マイク補正装置１に内蔵されるものだけではなく、通信インタフェースを介した外部記憶装置を用いてもよい。音声入力部３０は好適な音響信号入力インタフェースであり、例えば目標マイクＭＣ１及び変換対象マイクＭＣ２と接続可能な音声端子として、目標マイクＭＣ１と変換対象マイクＭＣ２それぞれから音源入力（音声入力）を受け付ける。音声出力部４０は好適な音響信号出力インタフェースであり、例えば図示しない後段のスピーカ等に補正後の音響信号を出力することができる。
【００１２】
変換フィルタ作成部１１は、目標マイクＭＣ１及び変換対象マイクＭＣ２で収録された同一音源を周波数に変換した値の違いを補正する変換フィルタを作成し、作成した変換フィルタを変換フィルタ記憶部２２に記憶する。
【００１３】
周波数変換データ記憶部２１が目標マイクＭＣ１及び変換対象マイクＭＣ２で収録された同一音源を周波数に変換した値（周波数変換データ）を記憶している場合、変換フィルタ作成部１１は、ｆを周波数、目標マイクＭＣ１で収録された音源を周波数に変換した値をＸ（ｆ）、及び変換対象マイクＭＣ２で収録された音源を周波数に変換した値をＹ（ｆ）とすると、Ｘ（ｆ）／Ｙ（ｆ）表わされる変換フィルタを作成する。
【００１４】
また、目標マイクＭＣ１及び変換対象マイクＭＣ２で収録された同一音源を周波数に変換した値が分からない場合、変換フィルタ作成部１１は、目標マイクＭＣ１及び変換対象マイクＭＣ２それぞれで同一のテスト音を録音した音源データから変換フィルタを作成する。テスト音を目標マイクＭＣ１で録音した音源データをａ（ｔ）、テスト音を変換対象マイクＭＣ２で録音した音源データをｂ（ｔ）とすると、変換フィルタ作成部１１は、フーリエ変換により音源データａ（ｔ）を周波数に変換した値Ａ（ｆ）に、音源データｂ（ｔ）を周波数に変換した値Ｂ（ｆ）に変換し、Ａ（ｆ）／Ｂ（ｆ）表わされる変換フィルタを作成する。このとき、テスト音としては、例えば２０Ｈｚ〜２０ｋＨｚの様々な周波数の正弦波を足し合わせた音源を使用することができる。また、フーリエ変換により得られる周波数に変換した値は離散値となるため、スプライン補間などにより値の連続した変換フィルタを求めることができる。また、変換フィルタ作成部１１は、複数のテスト音により変換フィルタを生成する場合、各テスト音について生成した複数のフィルタの平均を変換フィルタとすることができる。複数のテスト音は、毎回異なる音を使用したり、毎回同じ音を使用しても良い。なお、テスト音の代わりに、同一人による発声音を利用することもできる。
【００１５】
また、目標マイクＭＣ１及び変換対象マイクＭＣ２に対して同一音源のテスト音を用いる場合、目標マイクＭＣ１及び変換対象マイクＭＣ２と音源との距離に応じて、目標マイクＭＣ１及び変換対象マイクＭＣ２それぞれで録音される音源に時間的なずれおよび振幅の減衰が生じる。変換フィルタ作成部１１は、目標マイクＭＣ１及び変換対象マイクＭＣ２それぞれで録音される音源データの波形等の対応関係から、テスト音と、目標マイクＭＣ１及び変換対象マイクＭＣ２それぞれで録音される音源データとの対応区間を決定することができる。変換フィルタ作成部１１は、目標マイクＭＣ１及び変換対象マイクＭＣ２それぞれについて、対応区間の音源データに対してフーリエ変換を行い、変換フィルタを生成することができる。対応区間は、目標マイクＭＣ１及び変換対象マイクＭＣ２の相互相関が最大になる対応を見つけることにより、求めることができる。
【００１６】
変換フィルタ適用部１２は、変換対象マイクＭＣ２から入力された音源データに対し、変換フィルタ作成部１１が生成した変換フィルタを適用する。なお、変換フィルタ適用部１２は、目標対象マイクＭＣ１から入力された音源データに対しては変換フィルタ作成部１１が生成した変換フィルタを適用しない。変換フィルタをＲ（ｆ）、変換対象マイクＭＣ２からの音源データをＩ（ｎ）、変換後の音源データをＯ（ｎ）とすると、変換フィルタの畳み込み処理は下記式（１）で表現される。
【００１７】
【数１】
2015149550.tif 000003
【００１８】
ここで、ｒ（ｎ）は下記式（２）で表わされるものであり、ｗ（ｎ）はハニング窓などの窓関数である。
【００１９】
【数２】
2015149550.tif 000004
【００２０】
このように、本実施形態によれば、変換フィルタ作成部１１は、目標マイクＭＣ１で収録された音源を周波数に変換した値を変換対象マイクＭＣ２で収録された同一の音源を周波数に変換した値で除算した変換フィルタを作成し、変換フィルタ適用部１２は、変換対象マイクＭＣ２から入力された音源に対し、変換フィルタを適用する。これにより、異なるマイクで収録された音声の違和感を低減することが可能になる。即ち、ある話者の声を２つの異なるマイクで収録したとしても、声質が変わることなく収録することができる。例えば、１つの番組内において、収録済みの音声と、中継等のリアルタイム音声とが混在する場合があるが、それぞれで用いられるマイクの種類が異なる場合でも、本発明によるマイク補正により、視聴者が感じる音声の違和感を低減することができる。また、例えば、番組を収録する場合、常に同一のテスト音を収録してから番組の収録を行うことにより、新たなマイクが追加された場合でも、過去の収録音声を用いて容易に変換フィルタを作成することが可能になる。
【００２１】
また、目標マイクＭＣ１および変換対象マイクＭＣ２の収録音源は、同一人の発声音とすることにより、一人の人間が２つのマイクを使う場合の声質の違和感をより低減することが可能になる。なお、この場合、当該同一人とは、変換フィルタが適用される入力音声の持ち主であることが望ましい。
【００２２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各機能部、各ステップなどに含まれる機能などは論理的に矛盾しないように再配置可能であり、複数の機能部やステップなどを１つに組み合わせたり、或いは分割したりすることが可能である。
【符号の説明】
【００２３】
１  マイク補正装置
１０  制御部
１１  変換フィルタ作成部
１２  変換フィルタ適用部
２０  記憶部
２１  周波数変換データ記憶部
２２  変換フィルタ記憶部
３０  音声入力部（入力部）
４０  音声出力部
ＭＣ１  目標マイク
ＭＣ２  変換対象マイク
【図１】
2015149550.tif 000005